(57)【要約】  第１端部、第２端部、中央部、長手方向軸線及び放射方向軸線を包含する本体を有するタンポン。本体は、第１端部、第２端部、中央部、若しくは第１及び第２端部の両方で結合した複数個のひも又はストリップを包含する。複数個のストリップ及びひもは、不織布材、フィルム、織布材、吸収性フォーム、超吸収性ポリマー、並びにこれらの混合物から成る群から選択される材料（単数又は複数）を含む。
2007535375.tif 000002
【特許請求の範囲】
【請求項１】
挿入端と引き抜き端とを備えるタンポンであって、
前記タンポンは、第１端部と第２端部とを備える本体を備え、
前記第１端部は、結合部を備え、
前記本体は、前記第１端部において前記結合部で結合した複数個のストリップを備え、
前記ストリップが、不織布材、フィルム、織布材、吸収性フォーム、超吸収性ポリマー、並びにこれらの混合物から成る群から選択されることを特徴とする、タンポン。
【請求項２】
前記結合部が、２ｍｍ〜１０ｍｍの長さを有する、請求項１に記載のタンポン。
【請求項３】
前記複数個のストリップが、２０ｍｍ〜６０ｍｍの範囲の長さを有する、請求項１又は２に記載のタンポン。
【請求項４】
前記ストリップが、ひもを構成する、請求項１〜３のいずれか１項に記載のタンポン。
【請求項５】
前記第１端部が、前記挿入端を含む、請求項１〜４のいずれか１項に記載のタンポン。
【請求項６】
前記第１端部が、前記引き抜き端を含む、請求項１に記載のタンポン。
【請求項７】
二次吸収体をさらに備える、請求項１〜６のいずれか１項に記載のタンポン。
【請求項８】
前記第２端部が結合部を含み、前記複数個のストリップが前記第２端部における前記結合部で結合した、請求項１又は２に記載のタンポン。
【発明の詳細な説明】
【技術分野】
【０００１】
本発明は、第１端部、第２端部、中央部、若しくは第１端部及び第２端部の両方で結合した複数個のひも又はストリップを備えるタンポンに関する。
【背景技術】
【０００２】
多種多様の吸収性生理用タンポンが当該技術分野において長い間既知である。タンポンが提供する主要機能は、漏れ防護、つまり、経血が身体から下着に漏れ出るのを防ぐことであることは周知である。タンポンの吸収性は、消費者が経血流の予想レベルに従って適切な吸収性を有するタンポンを選べるよう一般に調節され、公に分類されている。しかし、消費者が吸収性を正しく選択したときでさえ、最良のタンポンですら予期せぬ漏れを防止しないことが判明している。この予期せぬ漏れは、通常「バイパス」流れと呼ばれており、これは、タンポンによる膣の全適用範囲が不足していることが原因で、経血が膣とタンポンとの間の空間内で移動し、タンポンが流れる経血を捕捉し損ねるときに起こる。バイパス流れは、消費者に対して予測不可能性と絶え間ない漏れの不安を与えるため、受け入れがたいものと考えられており、消費者は有効な解決策を久しく望んでいた。
【発明の開示】
【発明が解決しようとする課題】
【０００３】
本発明の目的は、適用範囲を改善すると共にバイパス流れの問題を解決するタンポンを提供することである。本発明のタンポンの本体は、第１端部、第２端部、中央部、若しくは第１端部及び第２端部の両方で結合した複数個のひも又はストリップを備える。理論に束縛されるものではないが、例えば、米国特許第３，３２０，９５６号（シュテルガー（Stelger）、１９６７年５月２３日発行）及び米国特許第４，３３５，７２１号（マシューズ（Matthews）、１９８２年６月２２日発行）に記載されているように、タンポンの本体を構成するために選ばれた材料の性質により、ストリップ又はひもは、膣内において、別々のフィラメントと繊維から成る既知のタンポンにわたって改善された変形及び拡張を示すことが可能になると本発明者は考える。その上、タンポンの本体を構成する材料の性質は、吸収性のための十分な空隙容量（void volume）を提供する。本発明のタンポンは、適用範囲を著しく改善すると共に、バイパス流れの問題を解決するものと考えられる。
【課題を解決するための手段】
【０００４】
本発明は、第１端部、第２端部、及び中央部を備える本体を有するタンポンに関する。本体は、第１端部、第２端部、中央部、若しくは第１及び第２端部の両方で結合した複数個のひも又はストリップを包含する。複数個のストリップ及びひもは、不織布材、フィルム、織布材、吸収性フォーム、超吸収性ポリマー、並びにこれらの混合物から成る群から選択される。
【発明を実施するための最良の形態】
【０００５】
本明細書で使用するとき、「アプリケータ」とは、タンポン、薬剤、治療器具、視覚補助具の挿入を容易にする器具若しくは道具、又は膣、直腸、耳道、鼻腔、若しくは咽喉など、哺乳動物の外部開口部に入れる他の器具若しくは道具を指す。その非限定的な具体例として、タンポンを受け入れることができ、タンポンの挿入に使用できる、衛生用に設計されたいかなる既知のアプリケータも挙げられ、いわゆるテレスコープ式アプリケータ、チューブ・アンド・プランジャ式アプリケータ、コンパクトアプリケータ、疾病の予防又は治療のための部位に薬剤を供給するためのアプリケータ、その先端に光ファイバーを介して接続されたマイクロカメラが入った分光器、いかなる設計の検鏡、舌圧子、耳道を検査するための管、外科用器具を導くための細い中空のパイプなどが挙げられる。
【０００６】
本明細書で使用する用語「ひも」は、互いに織られた又は撚り合わされた幾つかの材料のストリップから成る長くて細い可撓性材料を指す。
【０００７】
本明細書で使用される用語「指で挿入するタンポン」は、アプリケータの助けなしにユーザの指で膣管に挿入されることを意図するタンポンを指す。故に、指で挿入するタンポンは、典型的には、アプリケータに収容されているのではなく、使用前に消費者の目に見えている。
【０００８】
本明細書で使用する用語「結合した」は、第１要素を第２要素に直接固着することによって第１要素を第２要素に直接固定する構成、第１要素を中間部材に固着し、次にその中間部材を第２要素に固着することによって第１要素を第２要素に間接的に固定する構成、及び第１要素が第２要素と一体化している構成、すなわち、第１要素が本質的に第２要素の一部分である構成を包含する。
【０００９】
本明細書で使用するとき、タンポンの「長手方向軸線」という用語は、図１に示されるように、タンポンの中央を通る軸線を指す。タンポンの一部分は、引き抜き末端領域が、タンポンの残部の最初の形状からじょうご状に開いてねじれるとき（「ひれ状」など）のように、長手方向軸線について非対称であってもよい。更に、長手方向軸線は線状であっても、又は非線状であってもよい。
【００１０】
本明細書で使用するとき、タンポンの「放射方向軸線」という用語は、図１に示されるように、タンポンの長手方向軸線に対して直角に通る軸線を指す。
【００１１】
本明細書で使用する用語「巻いた」は、吸収性材料をそれ自体の上に巻いた後のタンポンの本体の形体である。
【００１２】
本明細書で使用するとき、「タンポン」という用語は、流体を吸収して創傷治癒を助けるために、又は薬剤若しくは水分など、活性物質を送達するために、膣管又は体の他の空洞に挿入されるいかなるタイプの吸収性構造体も指す。
【００１３】
本明細書で使用するとき、「膣腔」、「膣内」、及び「膣内部」という用語は、同義であることを意図し、また哺乳類の雌の体の外陰部における内部生殖器を指す。本明細書で使用するとき、「膣腔」「膣内」という用語は、膣口（膣の括約筋又は処女膜の輪（hymeneal ring）と呼ばれることがある）と子宮頚部との間に位置する空間を指すことを意図する。「膣腔」、「膣内」、及び「膣内部」という用語は、陰唇間空間、前庭の基部、又は外から見える生殖器を含まない。
【００１４】
明細書は、本発明を形成すると見なされる主題を特に指摘し、明確に請求している請求項により結論とするが、本発明は、添付図面と共に示す以下の説明により更に理解できるであろうと考えられる。
【００１５】
図１及び図２に例示されたタンポン２０は、房（tassel）に似ている。図１は、結合部３８を有する第１端部２４、第２端部２６、中央部３６、引き抜き部材３４、放射方向軸線Ｒ、及び長手方向軸線Ｌを備える本体２２を備えるタンポン２０を例示している。タンポン２０の本体２２は、第１端部２４に位置している結合部３８で結合した複数個のストリップ３０を備える。タンポン２０はまた、タンポン２０の本体２２の真ん中を通って延びると共に引き抜き部材３４を形成する引き抜き部材３４を備える。複数個のストリップ３０は、不織布材、フィルム、織布材、吸収性フォーム、超吸収性ポリマー、並びにこれらの混合物から成る群から選択される材料（単数又は複数）を含む。図１は、第１端部２４をタンポンの挿入端４０と見なし得るタンポン２０の構成を示している。
【００１６】
図２は、結合部３８を有する第１端部２４、第２端部２６、中央部３６、引き抜き部材３４、放射方向軸線Ｒ、及び長手方向軸線Ｌを備える本体２２を備えるタンポン２０を例示している。タンポン２０の本体２２は、第１端部２４に位置している結合部３８で結合した複数個のひも２８を備える。タンポン２０はまた、引き抜き部材３４と、二次吸収性部材３２とを備える。複数個のひも２８は、不織布材、フィルム、織布材、吸収性フォーム、超吸収性ポリマー、並びにこれらの混合物から成る群から選択される材料（単数又は複数）を含む。図２は、第１端部２４をタンポン２０の引き抜き端４２と見なし得る構成を示している。
【００１７】
図３に例示されたタンポン２０は、「ポンポン」に似ている。図３は、本発明のタンポン２０の平面図であり、ここでタンポン２０は、第１端部２４、第２端部２６、結合部３８を含む中央部３６、引き抜き部材３４、放射方向軸線Ｒ、及び長手方向軸線Ｌを備える本体２２を備える。タンポン２０は、複数個のひも２８が、タンポン２０の中央部３６に位置している結合部３８で結合するように構成されている。複数個のひも２８は、不織布材、フィルム、織布材、吸収性フォーム、超吸収性ポリマー、並びにこれらの混合物から成る群から選択される材料（単数又は複数）を含む。
【００１８】
図４に例示されたタンポン２０は、「提灯」に似ている。図４は、本発明のタンポン２０の平面図であり、結合部３８を含む第１端部２４、結合部３８を含む第２端部２６、結合部３８を含む中央部３６、引き抜き部材３４、放射方向軸線Ｒ、及び長手方向軸線Ｌを備える本体２２を備える。タンポン２０は、タンポン２０の本体２２が、中央部３６内において、第１端部２４及び第２端部２６に位置している両方の結合部３８で結合した複数個のストリップ３０を備えるように構成されている。複数個のストリップ３０は、不織布材、フィルム、織布材、吸収性フォーム、超吸収性ポリマー、並びにこれらの混合物から成る群から選択される材料（単数又は複数）を含む。図４はまた、二次吸収性部材３２を備える。
【００１９】
タンポン２０の本体２２は、吸収性物品において一般に使用される多種多様の液体吸収材料から構成されてもよい。吸収材料は、二次元的であり、２ｍｍまでの厚さを有してもよい。かかる材料としては、不織布材、フィルム、織布材、吸収性フォーム（米国特許第３，９９４，２９８号（デマレーズ（DesMarais）、１９７６年１１月３０日発行）及び、米国特許第５，７９５，９２１号（ダイヤー（Dyer）らに発行）に開示されたものなど）、セルロース・スポンジ、毛管チャネル繊維（Ｕ．Ｓ．５，３５６，４０５号（トンプソン（Thompson）ら、１９９４年１０月１８日発行）に開示されたものなど）、高容量繊維（米国特許第４，０４４，７６６号（カツヅマーズイーク（Kaczmarzk）ら、１９７７年８月３０日発行）に開示されたものなど）、超吸収性ポリマー又は吸収性ゲル材料（５，８３０，５４３、ミヤケ（Miyake）ら、１９９８年１１月３日発行）に開示されたものなど）、並びにこれらの混合物が挙げられるが、これらに限定されない。本体２２は、親水性となるように処理されてもよい。不織布材は、いかなる天然繊維、いかなる合成繊維、又はこれらの混合物を含んでもよい。不織布材は、綿、綿リンター、レーヨン、銅アンモニアレーヨン、ビスコースレーヨン、パルプ及び同種のものなどのセルロース繊維を含んでもよい。かかる不織布材は、旭化成株式会社（Asahi Kasei Corporation）（日本、大阪）からベンリーゼ（BEMLIESE）又はベンコット（BEMCOT）の商標名で、及びフタムラ化学株式会社（Futamura Chemical Co., Ltd.）（日本、岐阜）から太閤（TAIKO）ＴＣＦの商標名で入手可能である。
【００２０】
タンポン２０の長さは、第１端部２４から第２端部２６まで長手方向軸線Ｌに沿って測定することができる。ヒトが使用するための典型的なタンポンは、長さ３０〜６０ｍｍである。タンポン２０は、長さ約６０ｍｍ未満であってもよく、或いは長さ約５５ｍｍ未満であってもよい。タンポン２０の形状は直線であっても、或いは長手方向軸線に沿って湾曲するような非直線であってもよい。典型的なタンポンは、幅８〜２０ｍｍである。タンポン２０の幅は、約１７ｍｍ未満であってもよく、或いは約１５ｍｍ未満であってもよい。タンポン２０の幅は、本明細書において他に説明がなければ、タンポンの長さに沿った円筒形の最大横断面を横切る長さと一致する。
【００２１】
本体２２は、結合部３８で結合した複数個のひも２８かストリップ３０のどちらかを包含する。本体２２は、へり飾り（passementerie）の当業者に既知のいかなる方法で作製されてもよい。結合部３８は、タンポン２０の本体２２上の１つ以上の位置に含まれてもよい。第１端部２４が結合部３８を含んでもよく、第２端部２６が結合部３８を含んでもよく、或いは中央部３６が結合部３８を有してもよい。あるいは、第１端部２４及び第２端部２６の両方が結合部３８を含んでもよい。結合部３８は一体的であってもよく、或いは縫合、接着剤による取り付け、接着、熱接着、超音波接合又はそれらの組み合わせを含むがこれに限定されない既知の手段により結合されてもよい。結合部３８は、長さ約２ｍｍ〜約１０ｍｍの長さを有してもよい。
【００２２】
ひも２８又はストリップ３０の各々は、約２０ｍｍ〜約６０ｍｍの範囲の長さを有する。複数個のひも２８又はストリップ３０は、結合部３８から等距離の長さを有してもよい。あるいは、ひも２８及びストリップ３０の各々は、別のひも２８及びストリップ３０とは異なる長さを有してもよい。例えば、複数個のひも２８及びストリップ３０は、ひも２８及びストリップ３０が長手方向軸線Ｌ上ではより長く、周囲上ではより短くなるように構成されてもよい。複数個のひも２８又はストリップ３０は、約０．５ｍｍ〜約５ｍｍの範囲の幅を有する。ひも２８又はストリップ３０は、けん縮されても、撚り合わされてもよい。ひも２８又はストリップ３０は、丸縁、ジグザグの線、波線、Ｈ字形、Ｃ字形、Ｔ字形、Ｖ字形、並びにこれらの組み合わせから成る群から選択される種々の形状を有してもよい。
【００２３】
タンポン２０は、本体２２を構成するひも２８及びストリップ３０の両方を有してもよい。ひも２８又はストリップ３０は、結合部３８を含まない末端部において未切断、又は「環状」であってもよい。一例は、「８の字」に似た側面輪郭を有する環状のひも２８又はストリップ３０を備えるタンポン２０の本体２２であってもよい。この構成を有するタンポン２０は、直径３．２ｍｍ（１／８インチ）×長さ７６ｍｍ（３インチ）の２つのステンレス鋼ダウエルピンから成る固定物を利用して、アルミニウムブロックの５１ｍｍ（２インチ）離間した穴に押し込むことにより作製され得る。ひも２８又はストリップ３０をピンに巻きつけて「８の字」を形成してもよい。
【００２４】
本発明のタンポン２０は、レーヨン、綿、２成分繊維、ポリエチレン、ポリプロピレン、当該技術分野において既知である他の適した天然繊維又は合成繊維、並びにこれらの混合物などの材料を含む外装を任意に備えてもよい。タンポン２０は、商標名ＳＡＳ  Ｂ３１８１２０００で、フリーストフベルケ・クリスチャン・ハインリッヒ・サンドラー社（Vliesstoffwerke Christian Heinrich Sandler GmbH & Co.KG）（ドイツ、ザーレ、シュヴァルツェンバハ（Schwarzenbach/Saale））により製造されたポリエチレンで囲まれたポリプロピレンのコアを有する２成分繊維から構成される不織布の外装を有してもよい。タンポン２０は、ＢＢＡ社（BBA Corporation）（米国、サウスカロライナ州）により製造されたＢＢＡ  １４００２７として入手可能なレーヨン５０％、ポリエステル５０％との水流交絡したブレンドの不織布の外装を含んでもよい。外装は、ポリエステル１００％であってもよい。外装は、親水性、疎水性、ウィッキング、又は非ウィッキングであるように処理されてもよい。タンポン綿撒糸はまた、潤滑剤、臭気抑制剤、抗菌剤、着色剤などの他の様々な補助剤、酵母感染などの様々な種類の疾患の表示器又は薬剤、タンポンを取り換えるときを表示する表示器機構なども含んでもよい。
【００２５】
本発明のタンポン２０は二次吸収性部材３２を備えてもよい。二次吸収性部材は、レーヨン、綿、２成分繊維、ポリエチレン、ポリプロピレン、ポリエステル、当該技術分野において既知である他の適した天然繊維又は合成繊維、並びにこれらの混合物などの材料から構成されてもよい。二次吸収性部材は、単プライであっても、又は複数のプライであってもよい。二次吸収性部材３２は、吸収性及び／又は親水性であってもよい。二次吸収性部材３２は、タンポンの本体２２の第１端部２４に結合してもよい。二次吸収性部材３２は、多種多様の形状及び構成に配置されてもよく、また概ね円筒形、球形、半球形、ディスク状、平面、矩形、「シート状」、「スカート状」の形状であってもよい。二次吸収性部材３２は、タンポン２０の引き抜き末端部４２から約１０ｍｍ〜約４０ｍｍの範囲の長さであってよい。二次吸収性部材３２は、長さ約２０ｍｍ〜約２５ｍｍ、幅約６ｍｍ〜約４０ｍｍ、及び厚さ約０．５ｍｍ〜約５ｍｍであってもよい。
【００２６】
本発明において有用な引き抜き部材３４は、先行技術において既知のいかなる適した材料から作製されてもよく、また綿及びレーヨンを含んでもよい。加えて、引き抜き部材３４は、リボン、ループ、タブ、又はそれらに類似するものなどのような、他の形体を取ることができる。引き抜き部材３４は、材料のひも２８又はストリップ３０から成ってもよい。引き抜き部材３４は、タンポン綿撒糸と一体であってもよい。あるいは、引き抜き部材３４は、タンポンの第１端部２４で結合されてもよい。タンポン２０の第１端部２４を挿入端と見なす場合、引き抜き部材３４は、ひも２８又はストリップ３０の中央に位置するように結合されてもよい。その上、引き抜き部材３４は、本体２２の厚さ全体又は本体２２の厚さの一部のみに結合されてもよい。引き抜き部材３４又は引き抜き部材３４の領域は、非吸収性、吸収性、又は親水性であるように処理されてもよい。引き抜き部材３４は、縫合、接着剤による取り付け、接着、熱接着、又はこれらの組み合わせなどを含む、当該技術分野において既知のいかなる適した方法で結合されてもよく、同一出願人による現在係属中の米国特許出願１０／６１０，０７５、名称「ヒモ取り付けのための方法及び装置（Method and Apparatus for Cord Attachment）」（サージェント（Sargent）ら、２００３年６月３０日出願）に開示された方法を含む。
【００２７】
本発明のタンポン２０は指で挿入されてもよい。タンポン２０が指で挿入されるタンポンであることが意図される場合、挿入を助けるために、タンポン２０の引き抜き末端部４２に指のくぼみを提供することが望ましいことがある。指のくぼみの例は、米国特許第６，２８３，９５２号、名称「成形されたタンポン（Shaped Tampon）」（チャイルド（Child）ら、１９９７年５月５日出願）に見出すことができる。
【００２８】
あるいは、挿入は、先行技術において既知の任意のアプリケータの使用によって助けられてもよい。典型的な「チューブ・アンド・プランジャ」タイプの配置を有する先行技術のアプリケータは、プラスチック、紙、又は他の適した材料であってもよい。更に、「コンパクト」タイプのアプリケータも適している。
【００２９】
本明細書の開示を考慮すれば、本発明のタンポン２０を作製する幾つかの方法が当業者には明らかであるが、本発明のタンポン２０を作製する１つの方法を以下に説明する。
【００３０】
本発明のタンポン２０は、本体２２を構成する材料を提供することにより作製される。タンポン２０の本体２２のための出発原料は、複数個のストリップ３０、複数個のひも２８、ストリップ３０に切断し得る材料のシートを含んでもよく、或いは鋳型内で形成されて意図された形状を達成する材料であってもよい。出発原料が複数個のストリップ３０又はひも２８を構成する場合、ストリップ３０及びひも２８は、第１端部２４、中央部３６、或いは第１端部２４及び第２端部２６の両方の結合部３８で互いに結合されてもよい。複数個のストリップ３０は、縛り、結び、縫合、接着剤による取り付け、接着、熱接着、超音波接合又はそれらの組み合わせを含むが、これらに限定されない既知の手段により結合されてもよい。タンポン２０の本体２２の出発原料が材料のシートを含む場合、材料のシートは、はさみ、大ばさみ、かみそり、レーザー並びにこれらの組み合わせを含むがこれらに限定されない当該技術分野において既知のいずれかの手段により、複数個のストリップ３０に切断されてもよい。複数個のストリップ３０を備えるタンポン２０は、２つ以上のストリップ３０を互いに撚り合わせてひもを形成することにより、複数のひも２８にさらに変えられてもよい。タンポン２０の本体２２を作製する別の方法として、出発原料を複数個の穴を有する鋳型内に注ぎ込むことを挙げてもよい。
【００３１】
タンポン２０の本体２２を作製した後、引き抜き部材３４を設ける。引き抜き部材３４は、縫合、接着剤による取り付け、接着、熱接着、又はこれらの組み合わせなどを含む、当該技術分野において既知のいかなる適した方法で本体の第１端部２４に結合されてもよく、同一出願人による現在係属中の米国特許出願１０／６１０，０７５、名称「ヒモ取り付けのための方法及び装置（Method and Apparatus for Cord Attachment）」（サージェント（Sargent）ら、２００３年６月３０日出願）に開示された方法を含む。タンポン２０の第１端部２４が引き抜き端４２に一致する場合、任意に、二次吸収体３２を設ける。二次吸収体３２は、縫合、接着剤による取り付け、接着、熱接着、又はそれらの組み合わせを含む当該技術分野において既知のいかなる適したやり方で、本体の第１端部２４に結合されてもよい。任意に、本発明のタンポン２０をアプリケータ内に配置してもよく、その後、アプリケータを包む。
【００３２】
実施例１：本発明のタンポン２０は、図１に示されたものと同様に作製される。タンポン２０の本体２２を構成する材料を用意する。タンポン２０の本体２２を構成する材料は、旭化成株式会社（Ashahi Kasei Corporation）（日本、大阪）からベンリーゼ（BEMLIESE）ＴＦ６０３の商標名で入手可能な銅アンモニアレーヨン不織布材料である。材料の坪量は、６０ｇ／ｍ２である。その後、本体２２を構成する材料を、長さ５０ｍｍ及び幅５００ｍｍの矩形に切断する。その後、複数個のブレードを備えるルーラーダイを使用して、本体２２を構成する材料を長手方向軸線Ｌに沿って複数個のストリップ３０に切断する。ストリップ３０は、長さ４０ｍｍ及び幅１ｍｍである。その後、本体２２を構成する材料を巻いて直径約１４ｍｍの円筒形にする。次に、ウィハドキーヤーンミルズ（Wehadkee Yarn Mills）（ジョージア州ウェストポイント）からＷＹＭＡＣ７３０９Ａのコード名で入手可能な綿糸を用いて、本体２２を構成する材料を非スリット端部で縛る。その後、タンポン２２の本体２２の中央に綿糸を通して、引き抜き部材３４を形成する。その後、タンポン２０をアプリケータ内に配置するか、又はストリップ３０がタンポンの引き抜き端４２にあるように指で挿入する。
【００３３】
実施例２：本発明のタンポン２０は、図２に示されたものと同様に作製される。タンポン２０の本体２２を構成する材料を用意する。タンポン２０の本体２２を構成する材料は、旭化成株式会社（Ashahi Kasei Corporation）（日本、大阪）からベンリーゼ（BEMLIESE）ＴＦ１０３の商標名で入手可能な銅アンモニアレーヨン不織布材料である。材料の坪量は１００ｇ／ｍ２である。その後、本体２２を構成する材料を、長さ５０ｍｍ及び幅３００ｍｍの矩形に切断する。その後、複数個のブレードを備えるルーラーダイを使用して、本体２２を構成する材料を長手方向軸線Ｌに沿って複数個のストリップ３０に切断する。ストリップ３０は、長さ４０ｍｍ及び幅２ｍｍである。その後、本体２２を構成する材料を巻いて直径約１４ｍｍの円筒形にする。次に、ウィハドキーヤーンミルズ（Wehadkee Yarn Mills）（ジョージア州ウェストポイント）からＷＹＭＡＣ７３０９Ａのコード名で入手可能な綿糸を用いて、本体２２を構成する材料を非スリット端部で縛る。綿糸は、引き抜き部材３４を形成する。その後、タンポン２０をアプリケータ内に配置するか、又はストリップ３０がタンポンの挿入端４０にあるように指で挿入する。
【００３４】
実施例３：本発明のタンポン２０は、図２に示されたものと同様に作製される。タンポン２０の本体２２を構成する材料を用意する。タンポン２０の本体２２を構成する材料は、フタムラ化学株式会社（Futamura Chemical Co., Ltd.）（日本、岐阜）から太閤（TAIKO）ＴＣＦ４０８の商標名で入手可能なビスコースレーヨン不織布材料である。材料の坪量は、８０ｇ／ｍ２である。その後、本体２２を構成する材料を、長さ５０ｍｍ及び幅３７５ｍｍの矩形に切断する。その後、複数個のブレードを備えるルーラーダイを使用して、本体２２を構成する材料を長手方向軸線Ｌに沿って複数個のストリップ３０に切断する。ストリップ３０は、長さ４０ｍｍ及び幅１ｍｍである。次に、ストリップ３０を互いに撚り合わせてひも２８を形成する。その後、本体２２を構成する材料を巻いて直径約１４ｍｍの円筒形にする。次に、ウィハドキーヤーンミルズ（Wehadkee Yarn Mills）（ジョージア州ウェストポイント）からＷＹＭＡＣ７３０９Ａのコード名で入手可能な綿糸を用いて、本体２２を構成する材料を非スリット端部で縛る。綿糸は、引き抜き部材３４を形成する。その後、タンポン２０をアプリケータ内に配置するか、又はストリップ３０がタンポンの挿入端４０にあるように指で挿入する。
【００３５】
実施例４：本発明のタンポン２０は、図３に示されたものと同様に作製される。タンポン２０の本体２２を構成する材料を用意する。タンポン２０の本体２２を構成する材料は、フタムラ化学株式会社（Futamura Chemical Co., Ltd.）（日本、岐阜）から太閤（TAIKO）ＴＣＦ４０８の商標名で入手可能なビスコースレーヨン不織布材料である。材料の坪量は、８０ｇ／ｍ２である。その後、本体２２を構成する材料を、長さ５０ｍｍ及び幅３７５ｍｍの矩形に切断する。その後、複数個のブレードを備えるルーラーダイを使用して、本体２２を構成する材料を長手方向軸線Ｌに沿って両端から複数個のストリップ３０に切断する。ストリップ３０は、長さ２０ｍｍ及び幅１ｍｍである。次に、ストリップ３０又は材料を後に互いに撚り合わせてひも２８を形成する。その後、本体２２を構成する材料を巻いて直径約１４ｍｍの円筒形にする。次に、ウィハドキーヤーンミルズ（Wehadkee Yarn Mills）（ジョージア州ウエストポイント）からＷＹＭＡＣ７３０９Ａのコード名で入手可能な綿糸を用いて、本体２２を構成する材料を本体２２の中央部で縛る。綿糸は、引き抜き部材３４を形成する。その後、タンポン２０をアプリケータ内に配置するか、又は指で挿入する。
【００３６】
実施例５：本発明のタンポン２０は、図４に示されたものと同様に作製される。タンポン２０の本体２２を構成する材料を用意する。タンポン２０の本体２２を構成する材料は、旭化成株式会社（Ashahi Kasei Corporation）（日本、大阪）からベンリーゼ（BEMLIESE）ＴＦ６０３の商標名で入手可能な銅アンモニアレーヨン不織布材料である。材料の坪量は、６０ｇ／ｍ２である。その後、本体２２を構成する材料を、長さ５０ｍｍ及び幅５００ｍｍの矩形に切断する。その後、複数個のブレードを備えるルーラーダイを使用し、本体２２を構成する材料を、長手方向軸線Ｌに沿って幅側面から内側５ｍｍで始まって終わる複数個のストリップ３０に切断して、ストリップを形成する。ストリップ３０は、長さ４０ｍｍ及び幅１ｍｍに切断される。その後、本体２２を構成する材料を直径約１４ｍｍの円筒形にする。その後、ウィハドキーヤーンミルズ（Wehadkee Yarn Mills）（ジョージア州ウエストポイント）からＷＹＭＡＣ７３０９Ａのコード名で入手可能な綿糸を用いて、本体２２を構成する材料を両方の非スリット端部で縛る。綿糸は、引き抜き部材３４を形成する。その後、タンポン２０をアプリケータ内に配置するか、又は指で挿入する。
【００３７】
「発明を実施するための最良の形態」で引用したすべての文献は、関連部分において本明細書に参考として組み込まれるが、どの文献の引用も、それが本発明に関する先行技術であるとの容認と解釈されるべきではない。この文書における用語のあらゆる意味又は定義が、参照として組み込まれる文献における用語のあらゆる意味又は定義と対立する範囲内においては、本文書における用語に与えられた意味又は定義が適用される。
【００３８】
本発明の特定の実施形態について例証し説明したが、本発明の範囲を逸脱することなしに、種々の他の変更及び修正が可能であることは当業者には明らかであろう。したがって、本発明の範囲内にあるそのようなすべての変更及び修正を、添付の特許請求の範囲で扱うものとする。
【図面の簡単な説明】
【００３９】
【図１】挿入端と一致する第１端部で結合した複数個のストリップを備える本発明のタンポンの平面図である。
【図２】引き抜き端と一致する第１端部で結合した複数個のひもを備える本発明のタンポンの平面図である。
【図３】タンポンの中央部で結合した複数個のひもを備える本発明のタンポンの平面図である。
【図４】第１端部及び第２端部の両方で結合した複数個のストリップを備える本発明のタンポンの平面図である。
【図１】
2007535375.tif 000003
【図２】
2007535375.tif 000004
【図３】
2007535375.tif 000005
【図４】
2007535375.tif 000006
【国際調査報告】
2007535375.tif 000007
2007535375.tif 000008
2007535375.tif 000009